(57)【要約】      （修正有）【課題】形状がより女性乳房に近似した粘着性ブラジャーを提供し、これを着脱した時に一層快感を覚える粘着性ブラジャーを提供する。【解決手段】一対の乳房を被覆且つ支持する一対の胸当を備えてなる粘着性ブラジャーであって、各胸当上には正しく乳房に向う側に形成され且つ該乳房上の乳頭に対応する凹溝があり、その中胸当の該側には部分的に離隔層及び粘着層が塗被されてあり、これにより一対の胸当を一対の乳房上に貼付ける。胸当上の凹溝及び粘着層の塗被位置の設計により、女性に粘着性ブラジャーを着装した時に、乳頭がブラジャーの押圧を受けたために変形して不快感を感じさせることがないようにすることができると共に、粘着性ブラジャーを外した時に、乳頭が粘着層の剥離による痛みを感じさせることがないようにすることができる。【選択図】図３ａ
0003115612.tif 000002
【実用新案登録請求の範囲】
【請求項１】
一対の乳房を被覆且つ支持する一対の胸当を備えてなる粘着性ブラジャーであって、前記各胸当上には正しく前記乳房に向う側に形成され、且つ該乳房上の乳頭に対する凹溝があり、その中、各該胸当の該側には部分的に離隔層及び粘着層が塗布されることを特徴とする粘着性ブラジャー。
【請求項２】
前記離隔層は重合層及び複数の微細顆粒を含み、これら微細顆粒は該重合層により各胸当の該側上に充填固定され、そして該粘着層を該離隔層上に塗被することにより該対乳房上に貼付させることを特徴とする請求項１に記載の粘着性ブラジャー。
【請求項３】
前記粘着層は、珪酸ゲルであることを特徴とする請求項１に記載の粘着性ブラジャー。
【請求項４】
前記胸当の材質は発泡体であり、
前記粘着性ブラジャーは更に、
該対胸当の周囲を飾縫いする周辺布地と、
該胸当及び前記凹溝を被覆する貼合布地と、
を備えてなり、その中、前記離隔層及び前記粘着層は部分的に該貼合布地上に塗被されることを特徴とする請求項１に記載の粘着性ブラジャー。
【請求項５】
前記各胸当は、少なくとも第一のマスク層と第二のマスク層とワイヤ・リングとを備えてなり、前記ワイヤ・リングは前記第一のマスク層と前記第二のマスク層との間の挟み面下縁に設置されていることを特徴とする請求項４に記載の粘着性ブラジャー。
【請求項６】
一対の乳房を被覆及び支持するための一対の胸当であって、該各胸当には正しく前記乳房に向う側に形成され、且つ該乳房上の乳頭に対する凹溝があり、該胸当の材質は発泡体であることを特徴とする胸当。
【請求項７】
一対の乳房を被覆及び支持するための一対胸当と、基層を含む貼合粘着層とを備えてなる粘着性ブラジャーであって、
前記各胸当上には、正しく前記乳房に向う側に形成され、且つ該乳房上の乳頭に対する凹溝があり、及び、
前記基層の第一の表面及び第二の表面上には、それぞれ部分的に粘着層が塗被されてあり、その中、該第一の表面は該胸当の内側表面を粘着することに用いられ、そして該第二の表面は該乳房を貼合することに用いられ、これにより該胸当が該乳房上に貼付けられることを特徴とする粘着性ブラジャー。
【考案の詳細な説明】
【技術分野】
【０００１】
本考案は、粘着性ブラジャーに関するものである。
【背景技術】
【０００２】
大部分の女性にとって、ブラジャーは最早、単に、バストを固定、及び乳房を保護する機能のみを提供するではなく、着装調和上、より変化性を顕現するために異なった着装需要を考慮してブラジャー調和の選択がなされる。現在の市場においては、各タイプ、各様態、各式機能を具備したブラジャーが提供され、いずれも女性の各種の需要に副うために設計されている。
【０００３】
無肩バンド及び透明肩バンドの設計は、女性がチョッキ又は露肩設計の服飾を着装する時、ブラジャーの肩バンドが露出しても、女性が決まり悪くなって不快を感ずるとの心配がないようにすることを目的とする。しかしながら、無肩バンド及び透明肩バンドブラジャーは、なお後方バッキング・ストリップの構造を保有しているので、このようなブラジャーは女性にバックレス（背開き）設計の服飾を着装させる時になお十分にその美感及び自信を顕現させることができない。
【０００４】
したがって、粘着性ブラジャー（隠しブラジャー）がマーケットに出された時、非常なセンセーション及び購買熱を引起した。粘着ブラジャーは主としてガム層が塗被されている対の珪酸ゲル胸当により構成され、女性がこのタイプのブラジャーを着用する時、胸当の肩バンド及びバッキング・ストリップを用いて固定する必要がなく、対の珪酸ゲル胸当をしっかり乳房上に貼付ければよい。この外、両胸当間のバックル設計によっても乳房を集中でき、また胸タイプを調整する効果を達することができる。このような設計はブラジャーを着装する時の煩わしいステップを省くことができる外、一般のブラジャーを着装するとき肩バンド及びバッキング・ストリップにより発生する圧迫・束縛感が免れることができる。また、女性がチョッキ、露肩設計及びバックレス設計等の比較的セクシーな服飾又は薄手の服飾を着装したい時、いずれもより自在な感覚が得られることができる。
【０００５】
しかしながら、このタイプの粘着性ブラジャーは珪酸ゲルの胸当により構成され通気性が比較的悪いので、女性が長時間着装すると容易に不快感を生じ、甚だしくは皮膚に過敏な現象を生じさせる。この外、珪酸ゲルの胸当材質は比較的重く、且つ容易に加工できないので、胸当の厚さを増加させるか又は胸当の形状を改良させるなどの方法によりバストを豊満に見せる効果に奏させることは困難である。
【０００６】
フォームを胸当材質の粘着性ブラジャーとして、珪酸ゲル質の粘着性ブラジャーは上記欠点をある程度は解消した。図１は、特許文献１に開示された粘着性ブラジャーの構造見取図である。図において粘着性ブラジャー１０は、バックル１４により連結された一対胸当１２を備えてなる。胸当１２は、主として熱プラスチックス１２１と繊維層１２２とにより加熱プレス方式で製造されてなり、且つその内側表面上に感圧粘着層１２３が塗被されており、これにより、胸当１２を乳房に確実に貼付けることができる。また、胸当１２の両繊維層１２２間にはさらに粘着性ブラジャー１０の支持機能を強化するために一層の発泡材料１２４が包含されている。
【０００７】
特許文献２にも別の粘着性ブラジャーが開示されている。図２（ａ）に示すように、粘着性ブラジャー２０の胸当２２は、内部に発泡材料２２２が充填されている袋体２２１を備え、この袋体２２１外には又一層の粘着層２２３が塗被されてあり、これにより乳房に確実に貼付けている。粘着性ブラジャー２０も又、該対胸当２２に当接して女性が該粘着性ブラジャー２０を着装した時に、その胸部がより魅力的に輝くバックル２４を備えている。
【０００８】
また、特許文献３にも他種の粘着式ブラジャーが開示され、図２（ｂ）に示すように、部分的に塗被する方式で粘着剤層を胸内側に塗被している。該粘着式ブラジャー２０’の設計は、布面型ブラジャー２２’の内側面において局部的な選定位置において一層の珪酸ゲルにより構成された粘着層２２３’を結合することを趣旨とする。この粘着層２２３’の設置位置は女性が粘着式ブラジャー２０’を着脱する時に乳頭を避けて乳頭部位の敏感な皮膚が粘着層２２３’の剥離により不快を感じることがないように設計されている。
【特許文献１】米国特許第６７８００８１号明細書
【特許文献２】台湾実用新案登録第９２２１５５６６号
【特許文献３】台湾実用新案登録第９２２１８２４８号
【考案の開示】
【考案が解決しようとする課題】
【０００９】
バストをより豊満に顕現させるために、通常は胸当の厚さを増やす方式で厚手の胸当を製作して乳房を高く持上げている。上記三種のブラジャーの設計はいずれもフォーム（発泡）を胸当の材料としており、フォーム材質が比較的軽いので、フォームの厚さを増加する場合に、隠しブラジャーの珪酸ゲル胸当が重いためにブラジャーの貼付効果に影響する問題の発生を回避することができる。
【００１０】
しかしながら、珪酸ゲル胸当により構成された隠しブラジャー、又はフォームにより構成された上記の粘着性ブラジャーのいずれにしても、女性がこれら粘着性ブラジャーを着装した時に、乳頭が常に胸当の押圧を受けて変形する外、しっかりと粘着されるので、粘着層の剥離の際に乳房部位の敏感肌膚が痛みを感ずることがある。甚だしくは、乳頭が長時間ブラジャーの粘着層に接触すると、容易に過敏現象が発生することすらある。したがって女性にとっては、現在の粘着性ブラジャーの設計では、なお女性が要求する着脱・快適感を満足させることができない。
【００１１】
従って、本出願人は改良した粘着性ブラジャーの新型設計を提出する。本考案は、形状がより女性乳房に近似し、女性に、この粘着性ブラジャーを着脱した時に一層快適感を覚えさせる粘着性ブラジャーの胸当構造設計を提供することを目的とする。
【００１２】
又、現在の加熱プレス成形方式で胸当の厚さを増加できない欠点を改善できる、造形能力を高めた新型粘着性ブラジャーを提供することを目的とする。
【課題を解決するための手段】
【００１３】
上記目的を達成するために本考案により提供されるのは、
一対の乳房を被覆且つ支持する一対の胸当を備えてなる粘着性ブラジャーであって、該各胸当上には正しく該乳房に向う側に形成され、且つ該乳房上の乳頭に対する凹溝があり、その中、各該胸当の該側には部分的に離隔層及び粘着層が塗被されることを特徴とする（請求項１に対応）。
【００１４】
また、前記離隔層は重合層及び複数の微細顆粒を含み、これら微細顆粒は該重合層により各胸当の該側上に充填固定され、そして該粘着層を該離隔層上に塗被することにより該対乳房上に貼付させることを特徴とする（請求項２に対応）。
【００１５】
また、前記粘着層は、珪酸ゲルであることを特徴とする（請求項3に対応）。
【００１６】
さらに、前記胸当の材質は発泡体であり、
前記粘着性ブラジャーは更に、
該対胸当の周囲を飾縫いする周辺布地と、
該胸当及び前記凹溝を被覆する貼合布地と、
を備えてなり、その中、前記離隔層及び前記粘着層は部分的に該貼合布地上に塗被される粘着性ブラジャーである（請求項４に対応）。
【００１７】
また前記各胸当は、少なくとも第一のマスク層と第二のマスク層とワイヤ・リングとを備えてなり、前記ワイヤ・リングは前記第一のマスク層と前記第二のマスク層との間の挟み面下縁に設置されていることを特徴とする（請求項５に対応）。
【００１８】
上記目的を達成するために本考案により提供されるのは、
一対の乳房を被覆及び支持するための一対の胸当であって、該各胸当には正しく前記乳房に向う側に形成され、且つ該乳房上の乳頭に対する凹溝があり、該胸当の材質は発泡体であることを特徴とする胸当である（請求項６に相当）。
【００１９】
また、上記目的を達成するために本考案により提供されるのは、
一対の乳房を被覆及び支持するための一対胸当と、基層を含む貼合粘着層とを備えてなる粘着性ブラジャーであって、
前記各胸当上には、正しく前記乳房に向う側に形成され、且つ該乳房上の乳頭に対する凹溝があり、及び、
前記基層の第一の表面及び第二の表面上には、それぞれ部分的に粘着層が塗被されてあり、その中、該第一の表面は該胸当の内側表面を粘着することに用いられ、そして該第二の表面は該乳房を貼合することに用いられ、これにより該胸当が該乳房上に貼付けられることを特徴とする粘着性ブラジャーである（請求項７に相当）。
【００２０】
上記本考案の一対の胸当において、該胸当の材質は発泡体であり、該胸当は更に該対胸当の周囲の飾りを形成する周辺布地と、該胸当及び該凹溝を被覆する貼合布地とを備え、  該胸当はさらに、第一のマスク層と第二のマスク層と、該第一のマスク層と該第二のマスク層間に設置されたワイヤ・リングとを備えてなる。
【００２１】
上記本考案の粘着性ブラジャーにおいて、
該胸当の材質は発泡体であり、該粘着性ブラジャーは更に、該対胸当を接続するためのバックルと、該対胸当の周囲の飾りを形成する周辺布地と、該胸当及び凹溝を被覆する貼合布地とを備えてなり、及び、該粘着層は珪酸ゲルである。
【考案の効果】
【００２２】
胸当上の凹溝により乳頭が押圧を受けて変形するのを回避できる外、凹溝部位は更に胸当の通気性の増加に寄与し、粘着層の特殊な触感ゆえに不快感を感ずることもなく、該粘着性ブラジャーを着装した時の快感を向上させることができる。また、粘着性ブラジャーを外した時に、敏感な乳頭部位が粘着層の剥離ゆえに痛みを感じることのないようにすることが可能である。
【００２３】
更には、離隔層中に含まれた微細顆粒が胸当又は貼合布地の微細間隙を充填できるので平滑な平面を現出させ、これにより胸当及び貼合布地の液吸収性が低下し、液粘着層の固化の際に粘着不均等の現象を引起すのが回避できる。したがって、該離隔層の設計及び作用により、考案の粘着性ブラジャーと乳房との間の粘着性を大幅に増進させることが可能である。
【考案を実施するための最良の形態】
【００２４】
図３（ａ）及び図３（ｂ）は、本考案による粘着性ブラジャーの第一の実施例を示す構造見取図である。図において、粘着性ブラジャーは主として一対の胸当３０により構成され、核胸当３０は主として一対の発泡材料３２（例えばＰＵフォーム）により加熱プレス方式を通して形成される。加熱プレス成形した発泡材料３２をスムーズに修整した後、その周囲の部位に周辺布地３５を被覆し、更に進んで周辺布地３５に対して鎖縫いし、胸当３０の周囲を飾縫する。この胸当３０は更に一層の貼合布地３１が被覆され肌に快適な触感を提供する。
【００２５】
本考案の設計の重点は、人体乳房に貼り合せる胸当３０にはそれぞれ乳頭に対応した位置に凹溝３６があり、女性が本考案の粘着性ブラジャー3を着装した時、乳頭を凹溝３６中に収容することができる。そして、人体乳房に貼り合せる胸当には、それぞれ重合層及び複数の微細顆粒により構成された離隔層３３ａが塗被されている。これら微細顆粒は該重合層により胸当３０及び貼合布地３１上に充填固定されることにより、胸当３０と貼合布地３１表面繊維との間の不平箇所を充填する。離隔層３３ａ上にも粘着層３３ｂが被覆されてあり、これにより粘着性ブラジャー３を乳房にしっかり貼付けることができる。
【００２６】
本考案では、離隔層３３ａ及び粘着層３３ｂを塗布方式で部分的に胸当３０に塗被しているが、特に離隔層３３ａ及び粘着層３３ｂを凹溝３６の表面に塗被しない点は、多数の従来の粘着性ブラジャーが粘着剤を塗被する方法と相違する点である。
【００２７】
したがって、女性が本考案の粘着性ブラジャーを着装した時、胸当上の凹溝設計により、乳頭が胸当の押圧を受けるために変形されるのを回避できる外、凹溝部位は更に胸当の通気性の増加に寄与し、粘着層の特殊な触感ゆえに不快感を感ずることもなく、該粘着性ブラジャーを着装した時の快感を向上させることができる。また、通常しっかり皮膚に貼付けられた粘着性ブラジャーを外した時に、敏感な乳頭部位が粘着層の剥離ゆえに痛みを感じることのないようにすることが可能である。
【００２８】
更には、本考案の設計は胸当と粘着層との間に更に離隔層が塗被されており、この離隔層中に含まれた微細顆粒が胸当又は貼合布地の微細間隙を充填できるので該胸当又は貼合布地表面に平滑な平面を現出させ、これにより胸当及び貼合布地の液吸収性を低下させ、液粘着層の固化過程においてその組成が胸当又は貼合布地の吸収故に変化して粘着・成形が不均となる等の現象を引起すのを回避できる。したがって、該離隔層の設計及び作用により、考案の粘着性ブラジャーと乳房との間の粘着性を大幅に増進させることが可能である。
当然、本考案の粘着性ブラジャー３もバックル３８が設計されており、一対の胸当３０を連結する外、バックル３８の作用により乳房をより集中させ、バスト形状調整の効果を達成することができる。
【００２９】
図４（ａ）及び図４（ｂ）は、本考案による粘着性ブラジャーの第二の実施例を示す構造見取図である。図において、粘着性ブラジャー４は主として一対の胸当４０及びバックル４８により構成され、各胸当４０は第一のマスク層４２１及び第二のマスク層４２２により加熱プレス方式を通して形成される。当該第一のマスク層４２１及び第二のマスク層４２２の材質は同様に発泡体材料（例えばＰＵフォーム）である。胸当４０内には、それぞれ第一のマスク層４２１が第二のマスク層４２２と加熱プレスにより貼合する際に同時に第一のマスク層４２１と第二のマスク層４２２との間に固設されるワイヤ・リング４４が備えられている。ワイヤ・リング４４の設計により粘着性ブラジャー４の乳房に対する支持及び固形機能をより増強することができる。
【００３０】
同様に、加熱プレス貼合した第一のマスク層４２１及び第二のマスク層４２２をスムーズに修整した後、その周囲の部位に周辺布地４５を被覆し、更に進んで周辺布地４５に対して鎖縫いし、胸当４０の周囲を飾縫いする。この胸当４０は更に一層の貼合布地４１が被覆され、肌膚に快適な触感を提供する。
また、人体乳房に貼り合せる胸当４０にはそれぞれ乳頭に対応した位置に凹溝４６があり、且つ、この胸当４０上に部分的な塗被方式で離隔層４３ａ及び粘着層４３ｂが塗被されている。特に離隔層４３ａ及び粘着層４３ｂは凹溝４６の表面に塗被されていないので、女性が本考案の粘着性ブラジャーを着装する時に、格別な快感を覚えることができる。
【００３１】
本考案では、人体に対して無毒の珪酸ゲル（珪酸ソーダ）を粘着層の材料として用いているが、その初期状態は液体であり、該珪酸ゲルを貼合布地上に塗被するか、又は加熱プレス成形した発泡体材料上に塗被した後、加熱して珪酸ゲルを急速に固化させて粘着層を形成させる。したがって、本考案において離隔層の作用は液体珪酸ゲルが貼合布地及び胸当に吸収されて粘着層の形成に影響するのを回避することにある。液体珪酸ゲルを塗被する前、先ず不規則な微細顆粒及び集合層を含んだ離隔層を貼合布地上に塗被し、一旦該貼合布地表面の繊維空隙がこれら微細顆粒に充填されてから、初めて液体珪酸ゲルをその上に塗被するので、胸当又は貼合布地の、液態粘着層に対する吸収性を減少させ、液体の粘着層が固化過程においてその組成割合が胸当又は貼合布地の吸収故に変化し成形が不均等になる現象を回避できる。
【００３２】
図５（ａ）及び図５（ｂ）は、本考案による粘着性ブラジャーの胸当及び貼合粘着層の第三の実施例を示す構造見取図である。従来の粘着性ブラジャーは多数回着脱された後、容易に粘着層の粘性不足を来たして胸当と乳房との貼合性を影響すると共に、直ぐに清潔感が十分でない状態が発生するので、本実施例においては直接珪酸ゲル５３１を胸当５０に塗被する代わりに、珪酸ゲル５３１を基層５３０の両表面５３０Ａ及び５３０Ｂに塗被して双面を貼合した粘着層５３を成形する。この双面貼合粘着層５３を形成した後、さらにその中一表面５３１Ａを対応する胸当５０上に粘着し、他の一表面５３１Ｂは対応する女性乳房（図示せず）に貼り合せる。また、双面貼合粘着層５３上の、胸当の凹溝５６（即ち乳頭位置）に対応する中央部分５６’にも、女性が粘着性ブラジャーを着脱した時の快適性を得るために、同様に珪酸ゲルを塗被しない。
【００３３】
本考案の分離した双面貼合粘着層５３の設計により、女性の該粘着性ブラジャーを複数回して着脱使用した場合、僅かに貼合粘着層５３を取替えるのみでよく、該粘着性ブラジャーの使用寿命を延長できる外、胸当使用上の弾性をも増加できる。
【００３４】
この外、本考案の他の利点は更に一歩進んで、現在の加熱プレス方式で製作された胸当では達成できない造形効果を実現されることにある。図６（ａ）及び図６（ｂ）は、従来の胸当加熱プレス成形方式を示す見取図である。この図６（ａ）に示すように、通常加熱プレス方式で胸当６０ａを製作する時、上型６２ａを下へプレスして下型６１ｂと当接させ、成型の胸当６０ａの中央部分６０５ａの形状をより盛上り張らせる。
【００３５】
しかしながら、この方式により成型された胸当６０ａの周囲部分６０６ａ及び中央部分６０５ａは厚さが不足してしまい、豊満な胸型を営造できない。また、図６（ｂ）に示すように、胸当は十分に足る厚さを有してから、胸部が集中して持上がる効果を達成できるので、加熱プレス方式で厚型胸当６０ｂを製作する場合、胸当６０ｂの中央部分６０５ｂ及び周囲部分６０６ｂに十分な程の厚さを発現させるためには上型６２ｂをプレスして下型６１ｂと密着させてはいけない。このために上型６２ａと下型６１ａとの間に空隙６３ｂを残すこととなり、胸当６０ｂの中央部分６０５ｂのプレス合わせ効果が不完全になる。このようになると、成型された胸当６０ｂは十分にプレスしていないために偏平形状を呈し、美感を有しない。
【００３６】
本考案は完全に上記の欠点を克服した。図６（ｃ）は、本考案の胸当加熱プレス方式見取図である。図において、胸当上の凹溝６０１は同様に加熱プレス方式を利用し、且つ対応的に設計されたダイ・カスティングにより成型されるものであり、加熱プレス時に使用される上型（ｔｏｐｄｉｅ）６２ｃの凸出構造６２１の補助により、胸当６０ｃ上の凹溝６０１が形成されると同時に、上型６２ｃを下型６１ｃまでに押し付け、胸当６０ｃの中央部分６０５ｃを圧合わせ盛上り張った形状を呈させる。胸当６０ｃの周囲部分６０６ｃは過度に圧し合わせられていないので、なお十分に足る厚さを保持している。したがって本考案の胸当構造は盛上り張った態様と豊満の効果を同時に提供する。
【００３７】
当然、本考案において、該胸当の凹溝は従来の下型と凸出構造が設計されてある上型とのマッチングにより一度に加熱プレス形成される外、一般の厚形胸当６０ｂを形成した後、さらに凸出構造が設計されてある上型６２ｃにより加熱プレス形成されることができる。そのような形式方式をとるかを問わず、いずれも成型された胸当の機能を損ずることがない。
【００３８】
上記の説明から分かるように、本考案により提供される粘着性ブラジャーは従来のものが有する胸当構造をさらに改良したものである。即ち、胸当上の凹溝及び粘着層の塗被位置の設計により、女性に本考案の粘着性ブラジャーを着装した時により大きな快適感を覚えさせ、乳頭が胸当の押圧を受けたために変形されるのを回避できる外、該粘着性ブラジャーを外した時に敏感な乳頭部位が粘着層の剥離による痛みを感ずるようなことがない。
【００３９】
また、本考案は更に胸当の成型過程においてワイヤリングを該胸当内に固設しているので、本考案の粘着性ブラジャーは従来のものに較べより乳房の支持及び胸型の成型機能を備える。この外、加熱プレス方式で本考案の粘着性ブラジャーの胸当構造を製作する時、凹溝部分を形成すると同時に該胸当の完美な成型を造形することにより、胸当を尖り張りの態様と豊満の機能を具備させることができる。したがって本考案は、実用性及び発展性を有する新型設計である。
【００４０】
上記実施例の形態に説明された好適な実施例は、本考案の技術的手段をより具体的に説明するためにあり、当然本考案はこれに限定されず、添付クレームの範囲を逸脱しない限り、当業者による単純な設計変更、付加、修飾等はいずれも本考案の技術的範囲に属する。
【図面の簡単な説明】
【００４１】
【図１】従来の粘着性ブラジャーの構造見取図である。
【図２（ａ）】他の従来の粘着性ブラジャーの構造見取図である。
【図２（ｂ）】従来の粘着性ブラジャーの構造断面図である。
【図３（ａ）】本考案による粘着性ブラジャーの第一の実施例を示す構造見取図である。
【図３（ｂ）】本考案による粘着性ブラジャーの第一の実施例を示す構造見取図である。
【図４（ａ）】本考案による粘着性ブラジャーの第二の実施例を示す構造見取図である。
【図４（ｂ）】本考案による粘着性ブラジャーの第二の実施例を示す構造見取図である。
【図５（ａ）】本考案による粘着性ブラジャーの第三の実施例を示す胸当構造見取図である。
【図５（ｂ）】本考案による粘着性ブラジャーの第三の実施例を示す胸当構造見取図である。
【図６（ａ）】従来の胸当の加熱プレス成形方式の見取図である。
【図６（ｂ）】従来の胸当の加熱プレス成形方式の見取図である。
【符号の説明】
【００４２】
１０      粘着性ブラジャー
１２      胸当
１２１    熱プラスチックス
１２２    繊維層
１２３    感圧接着層
１２４    発泡材料
１４      バックル
２０      粘着性ブラジャー
２２      胸当
２２１    袋体
２２２    発泡材料
２２３    粘着層
２４      バックル
２０’      粘着式ブラジャー
２２’      布面型ブラジャー
２２３’    粘着層
３        粘着性ブラジャー
３０      胸当
３１      貼合布地
３２      発泡材料
３３ａ    離隔層
３３ｂ    粘着層
３５      周辺布地
３６      凹溝
３８      バックル
４        粘着性ブラジャー
４０      胸当
４１      貼合布地
４２１    第一のマスク層
４２２    第二のマスク層
４３ａ    離隔層
４３ｂ    粘着層
４４      ワイヤ・リング
４５      周辺布地
４６      凹溝
４８      バックル
５０      胸当
５３      貼合粘着層
５３０    基層
５３１    珪酸ゲル
５３０Ａ  基層の表面
５３１Ｂ  粘着層の表面
５６      凹溝
５６’      粘着層の中央部分
６０ａ    フォーム胸当
６０５ａ  フォーム胸当の中央部分
６０６ａ  フォーム胸当の周囲部分
６１ａ    下型
６２ａ    上型
６０ｂ    フォーム胸当
６０５ｂ  フォーム胸当の中央部分
６０６ｂ  フォーム胸当の中央部分
６１ｂ    下型
６２ｂ    上型
６３ｂ    空隙
６０ｃ    フォーム胸当
６０５ｃ  フォーム胸当の中央部分
６０６ｃ  フォーム胸当の中央部分
６１ｃ    下型
６２ｃ    上型
６２１    凸出構造
６０１    凹溝
【図１ａ】
0003115612.tif 000003
【図１ｂ】
0003115612.tif 000004
【図２ａ】
0003115612.tif 000005
【図２ｂ】
0003115612.tif 000006
【図３ａ】
0003115612.tif 000007
【図３ｂ】
0003115612.tif 000008
【図４ａ】
0003115612.tif 000009
【図４ｂ】
0003115612.tif 000010
【図５ａ】
0003115612.tif 000011
【図５ｂ】
0003115612.tif 000012
【図６ａ】
0003115612.tif 000013
【図６ｂ】
0003115612.tif 000014
【図６ｃ】
0003115612.tif 000015